(57)【要約】【課題】通信環境の変化を検出してオペレータに通知することができる通信端末を提供する。【解決手段】電波検索部５０１が、一のアクセスポイントに無線ＬＡＮ接続されている場合に、他のアクセスポイントによって出力された電波を受信したか否かを調査する。接続状況監視部５０２が、一のアクセスポイントに無線ＬＡＮ接続されている場合に、一のアクセスポイントによって出力された電波の受信強度が変化したか否かを調査する。無線ＬＡＮ監視部５０３が、電波検索部５０１の調査結果または接続状況監視部５０２の調査結果にもとづく情報の表示を表示手段に指示する。【選択図】図３
2011211407.tif 000002
【特許請求の範囲】
【請求項１】
一のアクセスポイントに無線ＬＡＮ接続されている場合に、他のアクセスポイントによって出力された電波を受信したか否かを調査する電波検索部と、
前記一のアクセスポイントに無線ＬＡＮ接続されている場合に、前記一のアクセスポイントによって出力された電波の受信強度が変化したか否かを調査する接続状況監視部と、
前記電波検索部の調査結果または前記接続状況監視部の調査結果に応じた情報の表示を表示手段に指示する無線ＬＡＮ監視部とを備えた
ことを特徴とする通信端末。
【請求項２】
無線ＬＡＮ監視部は、電波検索部が一のアクセスポイントとの通信に使用されているチャネルと同一のチャネルまたは近傍のチャネルの電波を出力する他のアクセスポイントの数が変化したと判断した場合に、通信環境の変化を示す情報の表示を表示手段に指示する
請求項１記載の通信端末。
【請求項３】
無線ＬＡＮ監視部は、電波検索部が一のアクセスポイントとの通信に使用されているチャネルと同一のチャネルまたは近傍のチャネルの電波を出力する他のアクセスポイントの数が増加したと判断した場合に、通信環境の変化を示す情報の表示を表示手段に指示する
請求項２記載の通信端末。
【請求項４】
無線ＬＡＮ監視部は、接続状況監視部が一のアクセスポイントによって出力された電波の受信強度が変化したと判断した場合に、通信環境の変化を示す情報の表示を表示手段に指示する
請求項１から請求項３のうちいずれか１項記載の通信端末。
【請求項５】
無線ＬＡＮ監視部は、接続状況監視部が一のアクセスポイントによって出力された電波の受信強度が低下したと判断した場合に、通信環境の変化を示す情報の表示を表示手段に指示する
請求項４記載の通信端末。
【請求項６】
無線ＬＡＮのアクセスポイントを介して情報を送受信する通信端末で実行される無線ＬＡＮ監視方法であって、
一のアクセスポイントに無線ＬＡＮ接続されている場合に、他のアクセスポイントによって出力された電波を受信したか否かを調査し、
前記一のアクセスポイントに無線ＬＡＮ接続されている場合に、前記一のアクセスポイントによって出力された電波の受信強度が変化したか否かを調査し、
前記他のアクセスポイントによって出力された電波を受信したか否かの調査結果または一のアクセスポイントによって出力された電波の受信強度が変化したか否かの調査結果に応じた情報の表示を表示手段に指示する
ことを特徴とする無線ＬＡＮ監視方法。
【請求項７】
一のアクセスポイントとの通信に使用されているチャネルと同一のチャネルまたは近傍のチャネルの電波を出力する他のアクセスポイントの数が変化したと判断した場合に、通信環境の変化を示す情報の表示を表示手段に指示する
請求項６記載の無線ＬＡＮ監視方法。
【請求項８】
無線ＬＡＮのアクセスポイントを介して情報を送受信する通信端末に搭載される無線ＬＡＮ監視プログラムであって、
コンピュータに、
一のアクセスポイントに無線ＬＡＮ接続されている場合に、他のアクセスポイントによって出力された電波を受信したか否かを調査する電波検索処理と、
前記一のアクセスポイントに無線ＬＡＮ接続されている場合に、前記一のアクセスポイントによって出力された電波の受信強度が変化したか否かを調査する接続状況監視処理と、
前記電波検索処理における調査結果または前記接続状況監視処理における調査結果に応じた情報の表示を表示手段に指示する無線ＬＡＮ監視処理とを実行させる
ための無線ＬＡＮ監視プログラム。
【請求項９】
コンピュータに、
無線ＬＡＮ監視処理で、電波検索処理で一のアクセスポイントとの通信に使用されているチャネルと同一のチャネルまたは近傍のチャネルの電波を出力する他のアクセスポイントの数が変化したと判断した場合に、通信環境の変化を示す情報の表示を表示手段に指示させる
請求項８記載の無線ＬＡＮ監視プログラム。
【発明の詳細な説明】
【技術分野】
【０００１】
本発明は、無線ＬＡＮのアクセスポイントに無線ＬＡＮ接続される通信端末、当該通信端末の無線ＬＡＮ監視方法、および当該通信端末に搭載される無線ＬＡＮ監視プログラムに関する。
【背景技術】
【０００２】
無線ＬＡＮ（Ｌｏｃａｌ  Ａｒｅａ  Ｎｅｔｗｏｒｋ）のアクセスポイントが予め設置された場所で、アクセスポイントに無線ＬＡＮ接続して通信を行う通信端末が使用される場合がある。
【０００３】
図４は、アクセスポイントが予め設置された場所で使用される一般的な通信端末１１０の構成例を示すブロック図である。
【０００４】
通信端末１１０は、アクセスポイントＡ２００が予め設置されている場所で使用される場合に、起動時にオペレータの操作に従って、アクセスポイントＡ２００との通信に使用されるＥＳＳＩＤ（Ｅｘｔｅｎｄｅｄ  Ｓｅｒｖｉｃｅ  Ｓｅｔ  Ｉｄｅｎｔｉｆｉｅｒ）、暗号化モード、および暗号化キーを設定する設定処理を行う。
【０００５】
具体的には、例えば、ユーティリティメニュー部１０１が無線ＬＡＮの設定を行うための画面の表示を表示装置１０９に指示し、暗号化設定ツール部１０２がオペレータの操作に従って設定処理を行う。つまり、通信端末１１０のオペレータは、表示装置１０９に表示された画面にもとづいて設定内容を示す指示を入力装置１０８に入力する。暗号化設定ツール部１０２は、通信端末１１０のオペレータによって入力された指示に応じて設定処理を行う。
【０００６】
そして、通信端末１１０のオペレータは、通信端末１１０がアクセスポイントＡ２００無線ＬＡＮ接続するための設定処理を行った場合に、アクセスポイントＡ２００と情報を送受信できなかったり、期待した通信性能（例えば通信速度）が得られないことを認識したときに、接続状況通知機能部１０４を使用してアクセスポイントＡ２００との通信に使用されるチャネルなどの設定を確認したり、チャネル情報検索機能部１０３を使用して周囲の無線ＬＡＮのアクセスポイントによって使用されているチャネルや周囲のアクセスポイントの数を調べたりする。
【０００７】
特許文献１には、アクセスポイントの起動時に周囲に設置されたアクセスポイントによる通信環境を調査するシステムが記載されている。
【０００８】
特許文献２には、周囲にアクセスポイントが設置されているか否かを調査し、所定の条件を満たした場合に、無線ＬＡＮ接続するアクセスポイントを切り替える装置が記載されている。
【先行技術文献】
【特許文献】
【０００９】
【特許文献１】特開２００４−１６６１０４号公報（段落００２９〜００４４、図１）
【特許文献２】特開２００５−１７６０２１号公報（段落０００９〜００５５、図１）
【発明の概要】
【発明が解決しようとする課題】
【００１０】
例えば、図４に示す通信端末１１０が、オフィスに設置されたアクセスポイントＡ２００に無線ＬＡＮ接続されているときに、同じフロアにおける他部署に新たにアクセスポイントＢ３００が設置されたり、他部署のアクセスポイントＢ３００の設置位置が通信端末１１０の近傍に変更されたり、設定内容が変更されたりする場合がある。そして、アクセスポイントＢ３００によって使用されるチャネルが通信端末１１０およびアクセスポイントＡ２００によって既に使用されているチャネルである既使用チャネルであったり、既使用チャネルに隣接するチャネルであったりすることがある。
【００１１】
そうすると、アクセスポイントＢ３００およびアクセスポイントＢ３００に無線ＬＡＮ接続されている通信端末によって出力された電波によって、通信端末１１０とアクセスポイントＡ２００との間の通信速度等の通信性能が低下する場合がある。
【００１２】
また、例えば、アクセスポイントＡ２００がオフィスに設置されている場合に、通信端末１１０のオペレータに知らされることなく、アクセスポイントＡ２００の設置位置が変更される場合や、通信端末１１０とアクセスポイントＡ２００との間に障害物が設置される場合がある。そのような場合に、通信端末１１０とアクセスポイントＡ２００との間の通信性能が低下する場合がある。
【００１３】
通信性能が低下した場合であっても、通信端末１１０がアクセスポイントＡ２００に継続して無線ＬＡＮ接続されているときには、通信端末１１０のオペレータによって無線ＬＡＮの設定を変更する必要性が認識されず、無線ＬＡＮの設定が変更されずに、通信性能が低下した状態で継続してアクセスポイントＡ２００に無線ＬＡＮ接続されてしまうという問題がある。
【００１４】
特許文献１に記載されているシステムは、起動時の通信環境に応じて各アクセスポイントが使用するチャネルを設定するので、起動後の通信環境の変化に対応することができない。従って、特許文献１に記載されているシステムは、起動後に、アクセスポイントの設置位置が変更されたり、レイアウトが変更されたりしうるオフィスでは、通信性能が低下した状態で、通信端末によって継続してアクセスポイントに無線ＬＡＮ接続されるという問題が生じるおそれがある。
【００１５】
また、特許文献２に記載されているシステムは、既存のアクセスポイントへの無線ＬＡＮ接続に対する新たに設置されたアクセスポイントから出力された電波による影響を確認することができない。従って、オペレータに通信環境の変化が通知されず、通信性能が低下した状態で、通信端末が使用されるという問題が生じるおそれがある。
【００１６】
そこで、本発明は、通信環境の変化を検出してオペレータに通知することができる通信端末、無線ＬＡＮ監視方法、および無線ＬＡＮ監視プログラムを提供することを目的とする。
【課題を解決するための手段】
【００１７】
本発明による通信端末は、一のアクセスポイントに無線ＬＡＮ接続されている場合に、他のアクセスポイントによって出力された電波を受信したか否かを調査する電波検索部と、一のアクセスポイントに無線ＬＡＮ接続されている場合に、一のアクセスポイントによって出力された電波の受信強度が変化したか否かを調査する接続状況監視部と、電波検索部の調査結果または接続状況監視部の調査結果に応じた情報の表示を表示手段に指示する無線ＬＡＮ監視部とを備えたことを特徴とする。
【００１８】
本発明による無線ＬＡＮ監視方法は、無線ＬＡＮのアクセスポイントを介して情報を送受信する通信端末で実行される無線ＬＡＮ監視方法であって、一のアクセスポイントに無線ＬＡＮ接続されている場合に、他のアクセスポイントによって出力された電波を受信したか否かを調査し、一のアクセスポイントに無線ＬＡＮ接続されている場合に、一のアクセスポイントによって出力された電波の受信強度が変化したか否かを調査し、他のアクセスポイントによって出力された電波を受信したか否かの調査結果または一のアクセスポイントによって出力された電波の受信強度が変化したか否かの調査結果に応じた情報の表示を表示手段に指示することを特徴とする。
【００１９】
本発明による無線ＬＡＮ監視プログラムは、無線ＬＡＮのアクセスポイントを介して情報を送受信する通信端末に搭載される無線ＬＡＮ監視プログラムであって、コンピュータに、一のアクセスポイントに無線ＬＡＮ接続されている場合に、他のアクセスポイントによって出力された電波を受信したか否かを調査する電波検索処理と、一のアクセスポイントに無線ＬＡＮ接続されている場合に、一のアクセスポイントによって出力された電波の受信強度が変化したか否かを調査する接続状況監視処理と、電波検索処理における調査結果または接続状況監視処理における調査結果に応じた情報の表示を表示手段に指示する無線ＬＡＮ監視処理とを実行させることを特徴とする。
【発明の効果】
【００２０】
本発明によれば、通信環境の変化を検出してオペレータに通知することができる。
【図面の簡単な説明】
【００２１】
【図１】本発明の実施形態の通信端末の構成例を示すブロック図である。
【図２】本発明の実施形態の通信端末の動作を示すフローチャートである。
【図３】本発明の概要を示すブロック図である。
【図４】アクセスポイントが予め設置された場所で使用される一般的な通信端末の構成例を示すブロック図である。
【発明を実施するための形態】
【００２２】
本発明による通信端末の実施形態について、図面を参照して説明する。図１は、本発明による通信端末４１０の実施形態の構成例を示すブロック図である。
【００２３】
図１に示すように、本実施形態の通信端末４１０は、ユーティリティメニュー部４０１、暗号化設定ツール部４０２、チャネル情報検索機能部４０３、接続状況通知機能部４０４、および無線ＬＡＮ監視機能部４０５を含む。また、図１に示すように、本発明の実施形態の通信端末４１０は、キーボードやマウス等の入力装置４０８および液晶ディスプレイ等の表示装置４０９に接続されている。
【００２４】
なお、通信端末４１０は、無線ＬＡＮアダプタを内蔵していたり、ＵＳＢ（Ｕｎｉｖｅｒｓａｌ  Ｓｅｒｉａｌ  Ｂｕｓ）コネクタを介して無線ＬＡＮアダプタに接続されていたり、有線ＬＡＮを介してイーサネット（登録商標）ボックスに接続されていたりするコンピュータである。そして、通信端末４１０は、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１ａ，ｂ，ｇ等の規格にもとづいて、電波を出力したり、無線ＬＡＮのアクセスポイントから出力された電波を受信したりして、アクセスポイントに無線ＬＡＮ接続する機能を有する。また、通信端末４１０に含まれる各部は、通信端末４１０に搭載され、プログラム制御に従って処理を実行するＣＰＵ（Ｃｅｎｔｒａｌ  Ｐｒｏｃｅｓｓｉｎｇ  Ｕｎｉｔ）である。
【００２５】
暗号化設定ツール部４０２は、オペレータによって入力装置４０８になされた操作に応じて、無線ＬＡＮ接続するアクセスポイントＡ２００との通信に使用されるＥＳＳＩＤ、暗号化モード、および暗号化キーを設定する暗号化設定処理を行う。
【００２６】
チャネル情報検索機能部４０３は、無線ＬＡＮのアクセスポイントによって出力された電波を受信する受信手段（図示せず）が電波を受信したか否かを調査し、通信端末４１０の周囲で他のアクセスポイント（例えば、図１に示すアクセスポイントＢ３００）によって使用されている無線ＬＡＮのチャネルとアクセスポイントの数とを調査するアクセスポイント調査処理を行う。なお、チャネル情報検索機能部４０３は、例えば、時分割で、無線ＬＡＮの規格に応じた各チャネルの電波について、アクセスポイント調査処理を行う。
【００２７】
接続状況通知機能部４０４は、無線ＬＡＮ接続中のアクセスポイントＡ２００との通信に使用する暗号化方式、使用チャネル、およびアクセスポイントＡ２００によって出力されて受信手段によって受信された電波の受信強度を調査する電波調査処理を行う。なお、チャネル情報検索機能部４０３が行うアクセスポイント調査処理と、接続状況通知機能部４０４が行う電波調査処理とを無線ＬＡＮ監視処理と総称する。
【００２８】
ユーティリティ部４０１は、各部が実行する処理のうち、実行する処理の選択をオペレータに促す画面、および無線ＬＡＮの設定の指示の入力をオペレータに促す画面の表示を表示装置４０９に指示する。
【００２９】
無線ＬＡＮ監視機能部４０５は、チャネル情報検索機能部４０３によるアクセスポイント調査処理の結果と、接続状況通知機能部４０４による電波調査処理の結果とに応じた画面の表示を表示装置４０９に指示する。
【００３０】
次に、図１に示す通信端末４１０の動作について、図面を参照して説明する。図２は、図１に示す通信端末４１０の動作を示すフローチャートである。
【００３１】
通信端末４１０がアクセスポイントＡ２００に無線ＬＡＮ接続する場合に、通信端末４１０のオペレータによって入力装置４０８になされた操作に従って、ユーティリティメニュー部４０１が、実行する処理の選択を促す画面の表示を表示装置４０９に指示する。
【００３２】
オペレータによって入力装置４０８に暗号化設定処理の実行を選択する操作が行われた場合に、暗号化設定ツール部４０２は、通信端末４１０のオペレータによって入力装置４０８になされた操作に従って、ＥＳＳＩＤを設定したり、ＷＥＰ（Ｗｉｒｅｄ  Ｅｑｕｉｖａｌｅｎｔ  Ｐｒｉｖａｃｙ）やＷＰＡ（Ｗｉ−Ｆｉ（登録商標）  Ｐｒｏｔｅｃｔｅｄ  Ａｃｃｅｓｓ）などの暗号化コードおよび暗号化キーを設定したりする。
【００３３】
そして、通信端末４１０は、暗号化設定ツール部４０２によって設定された内容に応じた情報をアクセスポイントＡ２００に送信し、決定されたチャネルでアクセスポイントＡ２００に無線ＬＡＮ接続される。
【００３４】
無線ＬＡＮ監視機能部４０５は、アクセスポイントＡ２００に無線ＬＡＮ接続されたときに、オペレータによって入力装置４０８になされた操作に応じて、無線ＬＡＮ監視処理を実行するか否かを判断する（ステップＳ１）。
【００３５】
入力装置４０８に、オペレータによって無線ＬＡＮ監視処理を実行しない旨の操作がなされた場合に（ステップＳ１のＹ）、通信端末４１０は、無線ＬＡＮ監視処理を実行しない。入力装置４０８に、オペレータによって無線ＬＡＮ監視処理を実行しない旨の操作がなされなかった場合に（ステップＳ１のＮ）、チャネル情報検索機能部４０３は、アクセスポイント調査処理を行う（ステップＳ２）。
【００３６】
通信端末４１０の無線ＬＡＮ監視機能部４０５は、チャネル情報検索機能部４０３がステップＳ２の処理で行ったアクセスポイント調査処理の結果に応じたチャネル情報とアクセスポイント数情報とを記憶手段（図示せず）に格納する。
【００３７】
なお、チャネル情報は、アクセスポイントＡ２００以外の他のアクセスポイントから出力された電波が受信手段によって受信された場合に、受信手段に受信された電波にもとづいて当該他のアクセスポイントによって使用されているチャネルを示す情報である。
【００３８】
また、アクセスポイント数情報は、通信端末４１０がアクセスポイントＡ２００との通信に使用しているチャネルと同一のチャネルまたは近傍のチャネル（具体的には、例えば、隣接するチャネル）である監視対象チャネルを使用している他のアクセスポイント（例えば、アクセスポイントＢ３００）である監視対象アクセスポイントの数を示す情報である。
【００３９】
なお、通信端末４１０の無線ＬＡＮ監視機能部４０５は、チャネル情報検索機能部４０３がステップＳ２の処理で監視対象アクセスポイントから出力された電波が受信手段によって受信されなかった場合に、電波を受信しなかったことを示すチャネル情報と、監視対象アクセスポイントの数が０であることを示すアクセスポイント数情報とを記憶手段に格納する。
【００４０】
通信端末４１０の無線ＬＡＮ監視機能部４０５は、今回のステップＳ２の処理後に記憶手段に格納したチャネル情報とアクセスポイント数情報とにもとづいて、アクセスポイント調査処理の結果が所定の条件に合致するか否かを判断する（ステップＳ３）。
【００４１】
具体的には、通信端末４１０の無線ＬＡＮ監視機能部４０５は、今回のステップＳ２の処理後に記憶手段に格納したチャネル情報によって示されるチャネルが前回のステップＳ２の処理後に記憶手段に格納されたチャネル情報によって示されるチャネルと異なるチャネルであって、監視対象チャネルである場合に、所定の条件に合致すると判断する。
【００４２】
また、無線ＬＡＮ監視機能部４０５は、今回のステップＳ２の処理後に記憶手段に格納したアクセスポイント数情報によって示される数と、前回のステップＳ２の処理後に記憶手段に格納されたアクセスポイント数情報によって示される数とが異なっている場合に、所定の条件に合致すると判断する。
【００４３】
なお、無線ＬＡＮ監視機能部４０５は、今回のステップＳ２の処理後に記憶手段に格納したアクセスポイント数情報によって示される数が、前回のステップＳ２の処理後に記憶手段に格納されたアクセスポイント数情報によって示される数よりも多い場合に、所定の条件に合致すると判断してもよい。つまり、無線ＬＡＮ監視機能部４０５は、監視対象アクセスポイントの数が増加している場合に、所定の条件に合致すると判断してもよい。
【００４４】
通信端末４１０の無線ＬＡＮ監視機能部４０５は、アクセスポイント調査処理の結果が所定の条件に合致すると判断した場合に（ステップＳ３のＹ）、表示装置４０９に、例えば、「接続中チャネルに影響を与えるチャネルを検出しました」等の文字列を表示する指示を出力する（ステップＳ６）。
【００４５】
通信端末４１０の無線ＬＡＮ監視機能部４０５が、アクセスポイント調査処理の結果が所定の条件に合致しないと判断した場合に（ステップＳ３のＮ）、接続状況通知機能部４０４は、電波調査処理を行う（ステップＳ４）。
【００４６】
通信端末４１０の無線ＬＡＮ監視機能部４０５は、接続状況通知機能部４０４による電波調査処理の結果としてアクセスポイントＡ２００によって出力されて受信手段によって受信された電波の強度の値を示す電波強度情報を記憶手段に格納する。
【００４７】
通信端末４１０の無線ＬＡＮ監視機能部４０５は、今回のステップＳ４の処理後に記憶手段に格納した電波強度情報によって示される値と、前回のステップＳ４の処理後に記憶手段に格納された電波強度情報によって示される値との差が所定の値以上であると判断した場合に（ステップＳ５のＹ）、表示装置４０９に、例えば、「アクセスポイントから受信した電波の強度がかわりました」等の文字列を表示する指示を出力する（ステップＳ６）。
【００４８】
なお、無線ＬＡＮ監視機能部４０５によって行われるステップＳ５の処理の判断基準である所定の値は、通信端末４１０のオペレータによって入力装置４０８になされた操作に従って予め設定可能であってもよい。
【００４９】
また、無線ＬＡＮ監視機能部４０５は、前回のステップＳ４の処理後に記憶手段に格納された電波強度情報によって示される値が、今回のステップＳ４の処理後に記憶手段に格納した電波強度情報によって示される値よりも所定の値以上大きいと判断した場合に、表示装置４０９に、例えば、「アクセスポイントから受信した電波の強度がかわりました」等の文字列を表示する指示を出力するように構成されていてもよい。
【００５０】
本実施形態によれば、通信端末４１０がアクセスポイントＡ２００に無線ＬＡＮ接続中に、無線ＬＡＮ監視機能部４０５が、表示装置４０９に、チャネル情報検索機能部４０３によるアクセスポイント調査処理の結果に応じた文字列の表示を指示するので、通信環境の変化を迅速に通信端末４１０のオペレータに通知することができる。
【００５１】
また、本実施形態によれば、通信端末４１０がアクセスポイントＡ２００に無線ＬＡＮ接続中に、無線ＬＡＮ監視機能部４０５が、表示装置４０９に、接続状況通知機能部４０４による電波調査処理の結果に応じた文字列の表示を指示するので、通信環境の変化を迅速に通信端末４１０のオペレータに通知することができる。
【００５２】
そして、通信環境の変化を迅速に通信端末４１０のオペレータに通知するので、通信端末４１０のオペレータに無線ＬＡＮの設定変更を促し、通信端末４１０とアクセスポイントＡ２００との間の通信性能が低下した状態で通信端末４１０の使用が継続されることを防ぐことができる。
【００５３】
次に、本発明の概要について説明する。図３は、本発明の概要を示すブロック図である。
【００５４】
図３に示すように、本発明による通信端末５００（図１に示す通信端末４１０に相当）は、電波検索部５０１（図１に示すチャネル情報検索機能部４０３に相当）と、接続状況監視部５０２（図１に示す接続状況通知機能部４０４に相当）と、無線ＬＡＮ監視部５０３（図１に示す無線ＬＡＮ監視機能部４０５に相当）とを含む。電波検索部５０１は、一のアクセスポイント（図１に示すアクセスポイントＡ２００に相当）に無線ＬＡＮ接続されている場合に、他のアクセスポイントによって出力された電波を受信したか否かを調査する。接続状況監視部５０２は、一のアクセスポイントに無線ＬＡＮ接続されている場合に、一のアクセスポイントによって出力された電波の受信強度が変化したか否かを調査する。無線ＬＡＮ監視部５０３は、電波検索部５０１の調査結果または接続状況監視部５０２の調査結果にもとづく情報の表示を表示手段（図１に示す表示装置４０９に相当）に指示する。
【００５５】
そのような構成によれば、電波検索部５０１の調査結果、または接続状況監視部５０２の調査結果に応じた情報が表示手段に表示され、通信端末５００のオペレータに通信環境が変化したことを迅速に通知することができる。
【００５６】
そして、通信端末５００のオペレータに無線ＬＡＮの設定変更を促し、通信端末５００とアクセスポイントとの間の通信性能が低下した状態で通信端末５００の使用が継続されることを防ぐことができる。
【００５７】
また上記の実施形態では、以下の（１）〜（４）に示すような通信端末も開示されている。
【００５８】
（１）無線ＬＡＮ監視部５０３が、電波検索部５０１が一のアクセスポイントとの通信に使用されているチャネルと同一のチャネルまたは近傍のチャネルの電波を出力する他のアクセスポイントの数が変化したと判断した場合に、通信環境の変化を示す情報の表示を表示手段に指示する通信端末。そのように構成されている場合には、一のアクセスポイントに無線ＬＡＮ接続されているときに、通信端末５００のオペレータに他のアクセスポイントによって通信環境が変化したことを迅速に通知することができる。
【００５９】
（２）無線ＬＡＮ監視部５０３が、電波検索部５０１が一のアクセスポイントとの通信に使用されているチャネルと同一のチャネルまたは近傍のチャネルの電波を出力する他のアクセスポイントの数が増加したと判断した場合に、通信環境の変化を示す情報の表示を表示手段に指示する通信端末。そのように構成されている場合には、一のアクセスポイントに無線ＬＡＮ接続されているときに、通信端末５００のオペレータに他のアクセスポイントによって通信環境が変化したことを迅速に通知することができる。
【００６０】
（３）無線ＬＡＮ監視部５０３が、接続状況監視部５０２が一のアクセスポイントによって出力された電波の受信強度が変化したと判断した場合に、通信環境の変化を示す情報の表示を表示手段に指示する通信端末。そのように構成されている場合には、一のアクセスポイントに無線ＬＡＮ接続されているときに、通信端末５００のオペレータに一のアクセスポイントとの間の通信環境が変化したことを迅速に通知することができる。
【００６１】
（４）無線ＬＡＮ監視部５０３が、接続状況監視部５０２が一のアクセスポイントによって出力された電波の受信強度が低下したと判断した場合に、表示手段に通信環境の変化を示す情報の表示を指示する通信端末。そのように構成されている場合には、一のアクセスポイントに無線ＬＡＮ接続されているときに、通信端末５００のオペレータに一のアクセスポイントとの間の通信環境が変化したことを迅速に通知することができる。
【産業上の利用可能性】
【００６２】
本発明を、無線ＬＡＮのアクセスポイントを介して通信を行う通信端末に適用可能である。
【符号の説明】
【００６３】
２００  アクセスポイントＡ
３００  アクセスポイントＢ
４０１  ユーティリティメニュー部
４０２  暗号化ツール部
４０３  チャネル情報検索機能部
４０４  接続状況通知機能部
４０５  無線ＬＡＮ監視機能部
４１０、５００  通信端末
５０１  電波検索部
５０２  接続状況監視部
５０３  無線ＬＡＮ監視部
【図１】
2011211407.tif 000003
【図２】
2011211407.tif 000004
【図３】
2011211407.tif 000005
【図４】
2011211407.tif 000006